(57)【要約】【課題】画像表示装置の表示画面の輝度ムラを低減する。【解決手段】ＬＥＤ１０５と、ＬＥＤ１０５に対向するように位置してＬＥＤ１０５からの光が入射する入射面１３２および入射面１３２に隣接する出射面１２０を有し、入射面１３２から入射した光を内方に伝播させて出射面１２０から出射させる導光体１３１とを備える。また、導光体１３１の出射面１２０側に位置して、導光体１３１の出射面１２０から出射された光を受けて表示領域内に画像を表示する画像表示パネル１７０と、導光体１３１の出射面１２０と対向する主表面１２１に位置して、導光体１３１の内部を伝播した光を拡散させる光拡散部１２５とを備える。ＬＥＤ１０５と入射面１３２との対向方向において、光拡散部１２５の位置する領域のＬＥＤ１０５側の端部の位置とＬＥＤ１０５との間の距離は、表示領域のＬＥＤ１０５側の端部の位置とＬＥＤ１０５との間の距離より長い。【選択図】図１１
2012053188.tif 000002
【特許請求の範囲】
【請求項１】
光源と、
前記光源に対向するように位置して前記光源からの光が入射する入射面および該入射面に隣接する出射面を有し、前記入射面から入射した光を内方に伝播させて前記出射面から出射させる導光体と、
前記導光体の前記出射面側に位置して、前記導光体の前記出射面から出射された光を受けて表示領域内に画像を表示する画像表示パネルと、
前記導光体の前記出射面と対向する主表面に位置して、前記導光体の内部を伝播した光を拡散させる光拡散部と
を備え、
前記光源と前記入射面との対向方向において、前記光拡散部の位置する領域の前記光源側の端部の位置と前記光源との間の距離は、前記表示領域の前記光源側の端部の位置と前記光源との間の距離より長い、画像表示装置。
【請求項２】
他の光源をさらに備え、
前記他の光源は、前記導光体の前記入射面と対向する他の入射面に対向するように位置して、前記他の入射面から光を入射させ、
前記光拡散部は、前記他の入射面から入射して前記導光体を内方に伝播した光を前記出射面から出射させ、
前記他の光源と前記他の入射面との対向方向において、前記光拡散部の位置する領域の前記他の光源側の端部の位置と前記他の光源との間の距離は、前記表示領域の前記他の光源側の端部の位置と前記他の光源との間の距離より長い、請求項１に記載の画像表示装置。
【請求項３】
前記画像表示パネルが液晶パネルである、請求項１または２に記載の画像表示装置。
【発明の詳細な説明】
【技術分野】
【０００１】
本発明は、画像表示装置に関する。
【背景技術】
【０００２】
光漏れを防止するために、バックライトの発光領域の大きさを表示ドット領域より若干大きくした液晶表示装置を開示した先行文献として、特許文献１がある。特許文献１に記載された液晶表示装置においては、導光体に設けられた光拡散部の起点の位置を、バックライトの発光領域が液晶表示パネルの表示ドット領域より若干大きくなるように決定している。
【先行技術文献】
【特許文献】
【０００３】
【特許文献１】特開２００１−１５４１９３号公報
【発明の概要】
【発明が解決しようとする課題】
【０００４】
特許文献１に記載された液晶表示パネルにおいては、液晶表示パネルの表示ドット領域内からの視差を考慮して、光源と導光体の入射面との対向方向において、液晶表示パネルの表示領域の光源側の端部より光源に近い位置から光拡散部を形成している。このようにした場合、導光体の入射面から入射した光は、輝度の高い状態で、光源に近い位置に形成された光拡散部によって拡散されて導光体の出射面から出射する。その輝度の高い光は、液晶パネルの表示領域の縁に入射するため、表示画面の輝度ムラの原因となる。
【０００５】
本発明は上記の問題点に鑑みてなされたものであって、表示画面の輝度ムラを低減できる画像表示装置を提供することを目的とする。
【課題を解決するための手段】
【０００６】
本発明に基づく画像表示装置は、光源と、光源に対向するように位置して光源からの光が入射する入射面および入射面に隣接する出射面を有し、入射面から入射した光を内方に伝播させて出射面から出射させる導光体とを備える。また、画像表示装置は、導光体の出射面側に位置して、導光体の出射面から出射された光を受けて表示領域内に画像を表示する画像表示パネルと、導光体の出射面と対向する主表面に位置して、導光体の内部を伝播した光を拡散させる光拡散部とを備える。光源と入射面との対向方向において、光拡散部の位置する領域の光源側の端部の位置と光源との間の距離は、表示領域の光源側の端部の位置と光源との間の距離より長い。
【０００７】
好ましくは、画像表示装置は、他の光源をさらに備える。他の光源は、導光体の入射面と対向する他の入射面に対向するように位置して、他の入射面から光を入射させる。光拡散部は、他の入射面から入射して導光体を内方に伝播した光を出射面から出射させる。他の光源と他の入射面との対向方向において、光拡散部の位置する領域の他の光源側の端部の位置と他の光源との間の距離は、表示領域の他の光源側の端部の位置と他の光源との間の距離より長い。
【０００８】
本発明の一形態においては、画像表示パネルが液晶パネルである。
【発明の効果】
【０００９】
本発明によれば、画像表示装置の表示画面の輝度ムラを低減できる。
【図面の簡単な説明】
【００１０】
【図１】本実施形態に係る液晶表示装置の概略構成を説明する分解斜視図である。
【図２】同実施形態に係る液晶表示装置における導光板と光源群との配置を示す平面図である。
【図３】図２のＩＩＩ−ＩＩＩ線矢印方向から見た図である。
【図４】同実施形態の導光体の側面図である。
【図５】図４のＶ−Ｖ線矢印方向から見た図である。
【図６】図５に示す部分の近傍の主表面の平面図である。
【図７】図４のＶＩＩ−ＶＩＩ線矢印方向から見た図である。
【図８】図７に示す部分の近傍の主表面の平面図である。
【図９】図４のＩＸ−ＩＸ線矢印方向から見た図である。
【図１０】図９に示す部分の近傍の主表面の平面図である。
【図１１】同実施形態に係る液晶表示装置の照射部の構造を示す一部断面図である。
【図１２】同実施形態の導光体に入射した光の光路の一例を示す図である。
【図１３】同実施形態の液晶表示装置および従来の液晶表示装置の、液晶表示パネルの表示領域における輝度を測定した結果を示す図である。
【図１４】同実施形態の導光体の光拡散部形成領域と液晶表示パネルの表示領域とを図２に対応させて示す図である。
【図１５】同実施形態の導光体に入射した光の光路の他の一例を示す図である。
【発明を実施するための形態】
【００１１】
以下、本発明の一実施形態に係る画像表示装置について図面を参照して説明する。以下の実施形態の説明においては、図中の同一または相当部分には同一符号を付して、その説明は繰返さない。なお、実施形態の説明において、説明の便宜上、上、下、左、右の表現を用いるが、これらの表現は示した図に基づくものであって発明の構成を限定するものではない。
【００１２】
下記の実施形態においては、画像表示装置として液晶表示装置について説明するが、画像表示装置はこれに限られず、バックライトからの光を利用する画像表示装置であればよい。
【００１３】
図１は、本実施形態に係る液晶表示装置の概略構成を説明する分解斜視図である。図２は、本実施形態に係る液晶表示装置における導光板と光源群との配置を示す平面図である。図３は、図２のＩＩＩ−ＩＩＩ線矢印方向から見た図である。
【００１４】
図１に示すように、液晶表示装置１は、ベゼル１００、シャーシ１０１、反射シート１１０、導光板１３０、積層シート群１５０、液晶表示パネル１７０、光源群１０３，１０４および制御部１６０を備えている。ベゼル１００とシャーシ１０１との間には、下から順に、反射シート１１０、導光板１３０、積層シート群１５０および液晶表示パネル１７０が配置されている。また、導光板１３０の側方に光源群１０３，１０４が配置されている。光源群１０３，１０４および液晶表示パネル１７０は、制御部１６０に接続されている。
【００１５】
バックライトは、反射シート１１０と、導光板１３０と、積層シート群１５０と、光源群１０３および光源群１０４とを含む。
【００１６】
図１，２に示すように、本実施形態においては、導光板１３０は、略直方体形状を有する複数の導光体１３１から構成されている。具体的には、導光体１３１の短手方向に複数の導光体１３１が互いに間隔を置いて配置されることにより、略平板状の導光板１３０が構成されている。ただし、導光板１３０は、一つの平板状の導光体から構成されていてもよい。
【００１７】
導光板１３０の長手方向の一方の側方に、光源である複数のＬＥＤ（Light Emitting Diode）１０５が互いに間隔を置いて回路基板１０６に実装された光源群１０３が配置されている。導光板１３０の長手方向の他方の側方に、光源である複数のＬＥＤ１０７が互いに間隔を置いて回路基板１０８に実装された光源群１０４が配置されている。本実施形態においては、導光板１３０の両側方に、光源群１０３，１０４を配置しているが、どちらか一方のみに配置するようにしてもよい。
【００１８】
複数の導光体１３１の各々は、ＬＥＤ１０５に対向するように位置してＬＥＤ１０５からの光が入射する入射面１３２と、ＬＥＤ１０７に対向するように位置してＬＥＤ１０７からの光が入射する入射面１３３とを有している。また、複数の導光体１３１の各々は、入射面１３２，１３３に隣接する出射面１２０を有している。
【００１９】
図３に示すように、複数の導光体１３１の各々は、出射面１２０と対向する主表面１２１を有している。また、複数の導光体１３１の各々は、出射面１２０と主表面１２１に隣接する側面１３４、および、側面１３４に対向する側面１３５を有している。主表面１２１には、後述する光拡散部が形成されている。
【００２０】
複数の導光体１３１はそれぞれ、入射面１３２，１３３から入射した光を、出射面１２０および主表面１２１の間と、側面１３４および側面１３５の間とにおいて、全反射させつつ導光体１３１の内方に伝播させて、主に出射面１２０から出射させる。
【００２１】
以下、上記の構成部品について詳細に説明する。
光源としては、ＬＥＤを採用した例に限られず、蛍光管およびその他の光源を採用することができる。
【００２２】
反射シート１１０は、たとえば、ポリエステルから形成されている。たとえば、発泡ＰＥＴ(Polyethylene Terephthalate)から形成されており、光の反射特性を有する。反射シート１１０は、導光体１３１の主表面１２１から漏れた光を反射して導光体１３１内に戻す機能を有している。
【００２３】
積層シート群１５０は、拡散シートと複数のプリズムシートとを含む。積層シート群１５０は、導光板１３０から出射する光の輝度ムラを抑制するとともに、導光板１３０からの光を集光して液晶表示パネル１７０に向けて出射する機能を有している。
【００２４】
液晶表示パネル１７０は、アクティブマトリックス基板と、カラーフィルタと、対向基板と、アクティブマトリックス基板および対向基板の間に封入された液晶とを含む。アクティブマトリックス基板には、複数のＴＦＴ（thin film transistor）素子が形成されている。液晶表示パネル１７０は、積層シート群１５０を通過して液晶表示パネル１７０に入射する光を用いて画像を表示する。
【００２５】
制御部１６０は、表示する画像データに基づいて、液晶表示パネル１７０の各ＴＦＴ素子のＯＮ／ＯＦＦを切り替える。また、制御部１６０は、液晶表示パネル１７０に映像信号を印加し、この印加のタイミングに同期させて、複数のＬＥＤ１０５，１０７の各々を順次消灯させる。これにより、液晶表示パネル１７０において、１フレーム内に発光期間と非発光期間とを設けることができるため、画像表示と黒表示とを交互に行うことができる。
【００２６】
ベゼル１００は、液晶表示パネル１７０の表示領域を視認可能とする窓部を有している。
【００２７】
以下、本実施形態の導光体について詳細に説明する。
図４は、本実施形態の導光体の側面図である。図５は、図４のＶ−Ｖ線矢印方向から見た図である。図６は、図５に示す部分の近傍の主表面の平面図である。図７は、図４のＶＩＩ−ＶＩＩ線矢印方向から見た図である。図８は、図７に示す部分の近傍の主表面の平面図である。図９は、図４のＩＸ−ＩＸ線矢印方向から見た図である。図１０は、図９に示す部分の近傍の主表面の平面図である。
【００２８】
図３，５，７，９に示すように、導光体１３１を長手方向に垂直な断面で断面視すると、導光体１３１は、短手方向（幅方向）の中央部に形成された主部１３６と、主部１３６の両側面から張り出すように形成された張出部１３７，１３８とを含む。導光体１３１の長手方向に垂直な断面における導光体１３１の断面形状は、逆Ｔ字形状となっている。導光体１３１の出射面１２０には、複数の溝部１２４が形成されている。
【００２９】
本実施形態の導光体１３１の長さは、たとえば、１３５８．５ｍｍである。主部１３６の厚さは、たとえば、４ｍｍである。張出部１３７，１３８の厚さは、たとえば、１ｍｍである。張出部１３７，１３８の張出量は、たとえば、２ｍｍである。側面１３４側から側面１３５側に向かう方向（短手方向）の導光体１３１の幅は、たとえば、４０ｍｍ以上１００ｍｍ程度である。溝部１２４のピッチは、１．０ｍｍであり、溝部１２４の深さは０．２ｍｍ以上０．３ｍｍ以下である。
【００３０】
図６，８，１０に示すように、主表面１２１の後述する光拡散部形成領域には、複数の光拡散部１２５が互いに間隔を置いて形成されている。本実施形態においては、光拡散部１２５はドット状に形成されている。
【００３１】
光拡散部１２５のドット径は、光拡散部形成領域において、入射面１３２側から導光体１３１の長手方向の中央部に向かうにしたがって、大きくなるように形成されている。同様に、光拡散部１２５のドット径は、光拡散部形成領域において、入射面１３３側から導光体１３１の長手方向の中央部に向かうにしたがって、大きくなるように形成されている。また、光拡散部１２５は、導光体１３１の幅方向の中央を通過して導光体１３１の長手方向に延びる仮想軸線に対して、対称となるように配置されている。
【００３２】
複数の光拡散部１２５のうち、出射面１２０と対向する部分の光拡散部１２５のドット径は、張出部１３７，１３８と対向する部分の光拡散部１２５のドット径よりも大きくなるように形成されている。なお、１つの光拡散部１２５のドット径は、たとえば、０．３ｍｍ以上１．５ｍｍ以下である。
【００３３】
光拡散部１２５は、たとえば、光散乱微粒子をポリマー中に分散させて、その後、ポリマーを主表面１２１に印刷することにより形成されている。光散乱粒子として蛍光体を用いてもよい。また、主表面１２１に、プリズムなどの微細な凹凸形状を形成することにより、光拡散部１２５を構成してもよい。さらに、主表面１２１に、ブラスト処理を施すことにより、光拡散部１２５を構成してもよい。
【００３４】
主表面１２１に光拡散部１２５を形成することにより、導光体１３１内を伝播する光の光路を変更することができる。具体的には、導光体１３１内を伝播する光が、主表面１２１の光拡散部１２５に入射することにより、その光は拡散されて導光体１３１内を進む方向が変えられる。その結果、光拡散部１２５で拡散された光の少なくとも一部は、出射面１２０で全反射せずに、出射面１２０から外部に出射する。
【００３５】
入射面１３２および入射面１３３から導光体１３１内に入射した光は、入射面１３２および入射面１３３から離れるにつれて、拡散して輝度が減衰する。そのため、上記のように、入射面１３２および入射面１３３から離れるにつれて、光拡散部１２５のドット径を大きくして配置密度を高くすることにより、出射面１２０から出射される光の輝度にばらつきが生じることを抑制することができる。
【００３６】
以下、本実施形態の液晶表示装置１における照射部の構成について説明する。
図１１は、本実施形態に係る液晶表示装置の照射部の構造を示す一部断面図である。以下の説明は、一方のＬＥＤ１０５側の構成について説明するが、他方のＬＥＤ１０７側の構成についても同様である。
【００３７】
図１１に示すように、本実施形態に係る液晶表示装置１においては、回路基板１０６に実装された光源であるＬＥＤ１０５の周囲を取り囲むように、リフレクタ１８０が配置されている。言い換えると、リフレクタ１８０には、ＬＥＤ１０５が内部に配置される開口部１８１が形成されている。
【００３８】
リフレクタ１８０は、開口部１８１の一方の開口端の一部から、開口部１８１の深さ方向に平板状に延在する延在部１８２を有する。また、リフレクタ１８０は、ＬＥＤ１０５からの光を受ける開口部１８１の内面および延在部１８２の内面において、光を反射するように形成されている。
【００３９】
本実施形態においては、光の高反射性を有するポリカーボネート樹脂を材料に用いて金型成型することによりリフレクタ１８０を作製したが、リフレクタ１８０の材料はこれに限られず、光反射性および所定の強度を有する材料であればよい。
【００４０】
図１１に示すように、ＬＥＤ１０５、回路基板１０６、リフレクタ１８０、および、延長リフレクタ１９０を含む照射部２００は、シャーシ１０１上に配置されている。具体的には、リフレクタ１８０の延在部１８２がシャーシ１０１の上面に沿うように、照射部２００がシャーシ１０１上に配置されている。
【００４１】
導光体１３１の入射面１３２がＬＥＤ１０５に対向するように、導光体１３１が配置されている。具体的には、導光体１３１の主表面１２１に沿うように配置された反射シート１１０の端部の一部１１１を間に挟んで、導光体１３１の一部がリフレクタ１８０の延在部１８２上に配置されている。
【００４２】
導光体１３１は、図示しない連結部材によりシャーシ１０１と締結固定されている。その結果、反射シート１１０の端部の一部１１１は、照射部２００に含まれるリフレクタ１８０の延在部１８２と導光体１３１とに挟持されている。
【００４３】
照射部２００を上方から覆うように、Ｐ−シャーシ１０９が配置されている。Ｐ−シャーシ１０９を上方から覆うように、ベゼル１００が配置されている。Ｐ−シャーシ１０９とベゼル１００との間に、液晶表示パネル１７０の端部が緩衝部２１１および緩衝部２１２を介して挟持されている。ベゼル１００とシャーシ１０１とが図示しない固定部材により互いに固定されることにより、ベゼル１００とシャーシ１０１との間に位置する構成部品が挟持されている。
【００４４】
以下、本実施形態の導光体１３１の光拡散部１２５の位置する領域である光拡散部形成領域について詳述する。
【００４５】
図１１に示すように、本実施形態に係る導光体１３１の光拡散部１２５は、ＬＥＤ１０５と導光体１３１の入射面１３２との対向方向において、ＬＥＤ１０５の近傍の端部には形成されていない。具体的には、たとえば、導光体１３１の入射面１３２から１５ｍｍまでの端部には光拡散部１２５が形成されていない。
【００４６】
その結果、ＬＥＤ１０５と導光体１３１の入射面１３２との対向方向において、光拡散部１２５の位置する領域のＬＥＤ１０５側の端部の位置とＬＥＤ１０５との間の距離Ｌ1は、液晶表示パネル１７０の表示領域のＬＥＤ１０５側の端部の位置とＬＥＤ１０５との間の距離Ｌ2より長くなっている。
【００４７】
図１２は、本実施形態の導光体に入射した光の光路の一例を示す図である。図１２に示すように、ＬＥＤ１０５から出射されて導光体１３１の入射面１３２から入射した光の一部である光２２０Ａは、導光体１３１内において全反射しつつ導光体１３１の内方に伝播する。導光体１３１の光拡散部形成領域の外側には光拡散部１２５が形成されていないため、光２２０Ａは光拡散部形成領域内に至るまで全反射を繰返す。
【００４８】
光２２０Ａが光拡散部形成領域のＬＥＤ１０５側の端部に位置する光拡散部１２５Ａに入射した場合、光２２０Ａは光拡散部１２５Ａにより拡散されて伝播方向を変えられる。具体的には、光２２０Ａは、導光体１３１の出射面１２０に対して臨界角以下の角度で入射するように伝播方向を変えられる。その結果、光２２０Ａは、導光体１３１の出射面１２０から出射される。導光体１３１から出射された光２２０Ａは、積層シート群１５０を通過して拡散された後、液晶表示パネル１７０に入射する。
【００４９】
図１３は、本実施形態の液晶表示装置および従来の液晶表示装置の、液晶表示パネルの表示領域における輝度を測定した結果を示す図である。図１３においては、縦軸に液晶表示パネル１７０から出射される光の輝度、横軸に導光体と光源との対向方向における液晶表示パネルの表示領域における位置を示している。また、本実施形態の液晶表示装置の測定結果を実線で、従来の液晶表示装置の測定結果を点線で示している。
【００５０】
図１３に示すように、本実施形態の液晶表示装置および従来の液晶表示装置の両方において、液晶表示パネル１７０から出射される光の輝度は、表示領域の中央部で高く、中央部から端部に近づくにつれて低下する傾向にある。ただし、従来の液晶表示装置においては、表示領域の端部において輝度が局所的に高くなっている。これは、上述の通り、導光体の光拡散部が、光源と導光体の入射面との対向方向において、液晶表示パネルの表示領域の光源側の端部より光源に近い位置に形成されていることにより、表示領域の端部に輝度の高い光が入射するためである。
【００５１】
本実施形態の液晶表示装置において、液晶表示パネル１７０の表示領域の端部において液晶表示パネル１７０から出射される光の輝度が局所的に高くなることを防止できることが確認された。
【００５２】
すなわち、ＬＥＤ１０５と導光体１３１の入射面１３２との対向方向において、光拡散部１２５の位置する領域のＬＥＤ１０５側の端部の位置とＬＥＤ１０５との間の距離Ｌ1を、液晶表示パネル１７０の表示領域のＬＥＤ１０５側の端部の位置とＬＥＤ１０５との間の距離Ｌ2より長くすることにより、液晶表示装置１の表示画面の輝度ムラを低減できる。また、本実施形態の液晶表示装置においては、表示領域外に出射する光を低減できるため、ＬＥＤ１０５から出射した光の利用効率が向上している。
【００５３】
仮に、導光体１３１において光拡散部形成領域の範囲を変えることなく、光拡散部１２５の形成密度を変えることにより輝度ムラを改善しようとして、ＬＥＤ１０５の近傍に配置されるドットパターンのドット径を小さくした場合、ドットパターンはスクリーン印刷法などで形成されるため、ドットの小径化には限度があり、ドットを小径化することによりドットパターンの形成が困難になる。そこで、ドット径は大きくして、その分、ドット数を減らしてドットパターンの形成密度を小さくした場合、そのドットパターンが表示画面に視認されて画像品位を損なうことがある。よって、本実施形態の導光体１３１のように、光拡散部形成領域の範囲を変更した導光体を備える液晶表示装置が、輝度ムラを低減する最も有効でかつ簡易な構成である。
【００５４】
図１４は、本実施形態の導光体の光拡散部形成領域と液晶表示パネルの表示領域とを図２に対応させて示す図である。図１４に示すように、本実施形態においては、導光体１３１の両側方に光源群１０３，１０４が配置されている。言い換えると、光源であるＬＥＤ１０５以外の他の光源であるＬＥＤ１０７が配置されている。
【００５５】
上述の通り、ＬＥＤ１０７は、導光体１３１の入射面１３２と対向する他の入射面１３３に対向するように位置している。ＬＥＤ１０７は、入射面１３３から光を導光体１３１に入射させる。光拡散部１２５は、入射面１３３から入射して導光体１３１を内方に伝播した光を出射面１２０から出射させる。
【００５６】
ＬＥＤ１０７と導光体１３１の入射面１３３との対向方向において、光拡散部１２５の位置する領域のＬＥＤ１０７側の端部の位置とＬＥＤ１０７との間の距離は、液晶表示パネル１７０の表示領域のＬＥＤ１０７側の端部の位置とＬＥＤ１０７との間の距離より長い。
【００５７】
そのため、図１４に示すように、導光体１３１の光拡散部１２５は、導光体１３１の長手方向において、導光体１３１の光拡散部形成領域の幅が、液晶表示パネル１７０の表示領域の幅より狭くなっている。
【００５８】
図１５は、本実施形態の導光体に入射した光の光路の他の一例を示す図である。図１５に示すように、ＬＥＤ１０７から出射されて導光体１３１の入射面１３３から入射した光の一部である光２２０Ｂは、導光体１３１内において全反射しつつ導光体１３１の内方に伝播する。導光体１３１の光拡散部形成領域の外側には光拡散部１２５が形成されていないため、光２２０Ｂは光拡散部形成領域内に至るまで全反射を繰返す。
【００５９】
光２２０Ｂが光拡散部形成領域のＬＥＤ１０５側の端部に位置する光拡散部１２５Ａに隣接する光拡散部１２５Ｂに入射した場合、光２２０Ｂは光拡散部１２５Ｂにより拡散されて伝播方向を変えられる。具体的には、光２２０Ｂは、導光体１３１の出射面１２０に対して臨界角以下の角度で入射するように伝播方向を変えられる。その結果、光２２０Ｂは、導光体１３１の出射面１２０から出射される。導光体１３１から出射された光２２０Ｂは、積層シート群１５０を通過して拡散された後、液晶表示パネル１７０に入射する。
【００６０】
このように、ＬＥＤ１０５側の表示領域の端部に、ＬＥＤ１０７から出射された光の一部である光２２０Ｂが出射される。光２２０Ｂは、光拡散部１２５Ｂに到達するまでに導光体１３１内を繰返し全反射しているため、減衰して輝度が低下している。そのため、光２２０ＢがＬＥＤ１０５側の表示領域の端部に出射することにより、ＬＥＤ１０５側の表示領域の端部の輝度を極端に高くすることはなく、逆に、ＬＥＤ１０５側の表示領域の端部の輝度が低くなりすぎることを防止することができる。これは、ＬＥＤ１０７側の表示領域の端部の輝度についても同様である。
【００６１】
よって、導光体１３１の両側方に光源を配置することにより、導光体１３１の長手方向において、光拡散部形成領域の幅を液晶表示パネル１７０の表示領域の幅より狭くしたことによって、液晶表示パネル１７０の表示領域の端部において輝度が低下しすぎることを防止することができる。その結果、液晶表示装置１の表示画面の輝度ムラを低減することができる。
【００６２】
なお、今回開示した上記実施形態はすべての点で例示であって、限定的な解釈の根拠となるものではない。したがって、本発明の技術的範囲は、上記した実施形態のみによって解釈されるものではなく、特許請求の範囲の記載に基づいて画定される。また、特許請求の範囲と均等の意味および範囲内でのすべての変更が含まれる。
【符号の説明】
【００６３】
１  液晶表示装置、１００  ベゼル、１０１  シャーシ、１０３，１０４  光源群、１０６，１０８  回路基板、１０９  Ｐ−シャーシ、１１０  反射シート、１１１  反射シートの端部の一部、１２０  出射面、１２１  主表面、１２４  溝部、１２５，１２５Ａ，１２５Ｂ  光拡散部、１３０  導光板、１３１  導光体、１３２，１３３  入射面、１３４，１３５  側面、１３６  主部、１３７，１３８  張出部、１５０  積層シート群、１６０  制御部、１７０  液晶表示パネル、１８０  リフレクタ、１８１  開口部、１８２  延在部、１９０  延長リフレクタ、２００  照射部、２１１，２１２  緩衝部、２２０Ａ，２２０Ｂ  光。
【図１】
2012053188.tif 000003
【図２】
2012053188.tif 000004
【図３】
2012053188.tif 000005
【図４】
2012053188.tif 000006
【図５】
2012053188.tif 000007
【図６】
2012053188.tif 000008
【図７】
2012053188.tif 000009
【図８】
2012053188.tif 000010
【図９】
2012053188.tif 000011
【図１０】
2012053188.tif 000012
【図１１】
2012053188.tif 000013
【図１２】
2012053188.tif 000014
【図１３】
2012053188.tif 000015
【図１４】
2012053188.tif 000016
【図１５】
2012053188.tif 000017